(57)【要約】【課題】  スケジュールを容易に把握可能な表示装置を提供する。【解決手段】  １ヶ月分のカレンダーを表示する第１の領域と、当該第１の領域に表示されているカレンダーに対応する１ヶ月分のスケジュールを表示する第２の領域とを有する表示装置であり、前記第１の領域にはカーソルが表示され、カーソルを移動することにより前記第１の領域に表示されている日を選択可能であり、前記カーソルがスケジュール登録されている日を指示している際には、前記カーソルが指示している日に対応するスケジュールを前記第２の表示領域に表示し、一方、前記カーソルがスケジュールが登録されていない日を指示している際には、１ヶ月分のスケジュールを前記第２の表示領域に表示することを特徴とする。【選択図】  図３
2011053739.tif 000002
【特許請求の範囲】
【請求項１】
１ヶ月分のカレンダーを表示する第１の領域と、当該第１の領域に表示されているカレンダーに対応する１ヶ月分のスケジュールを表示する第２の領域とを有する表示装置であり、
前記第１の領域にはカーソルが表示され、カーソルを移動することにより前記第１の領域に表示されている日を選択可能であり、
前記カーソルがスケジュール登録されている日を指示している際には、前記カーソルが指示している日に対応するスケジュールを前記第２の表示領域に表示し、一方、前記カーソルがスケジュールが登録されていない日を指示している際には、１ヶ月分のスケジュールを前記第２の表示領域に表示することを特徴とする表示装置。
【請求項２】
請求項１に記載の表示装置であり、前記カーソルが指示している日に対応するスケジュールを前記第２の表示領域に表示する際には、当該表示するスケジュールは、前記第２の表示領域に１ヶ月分のスケジュールを表示する際に表示するスケジュールよりもより詳細な内容であることを特徴とする表示装置。
【請求項３】
１ヶ月分のカレンダーを表示する第１の領域と、当該第１の領域に表示されているカレンダーの内、一週間分のスケジュールを表示する第２の領域とを有する表示装置であり、
前記第１の領域にはカーソルが表示され、カーソルを移動することにより前記第１の領域に表示されている日を選択可能であり、
前記カーソルがスケジュール登録されている日を指示している際には、前記カーソルが指示している日に対応するスケジュールを前記第２の表示領域に表示し、一方、前記カーソルがスケジュールが登録されていない日を指示している際には、前記カーソルが指示している週のスケジュールを前記第２の表示領域に表示することを特徴とする表示装置。
【請求項４】
請求項３に記載の表示装置であり、前記カーソルが指示している日に対応するスケジュールを前記第２の表示領域に表示する際には、当該表示するスケジュールは、前記第２の表示領域に１週間分のスケジュールを表示する際に表示するスケジュールよりもより詳細な内容であることを特徴とする表示装置。
【請求項５】
１ヶ月分のカレンダーを表示する第１の領域と、当該第１の領域に表示されているカレンダーに対応する１ヶ月分のスケジュールを表示する第２の領域とを有する表示装置のスケジュール表示方法であり、
前記表示装置にスケジュールを表示する際には、
前記第１の領域には移動可能なカーソルを表示し、
前記カーソルがスケジュール登録されている日を指示している際には、前記カーソルが指示している日に対応するスケジュールを前記第２の表示領域に表示し、一方、前記カーソルがスケジュールが登録されていない日を指示している際には、１ヶ月分のスケジュールを前記第２の表示領域に表示することを特徴とするスケジュール表示方法。
【請求項６】
請求項５に記載のスケジュール表示方法であり、前記カーソルが指示している日に対応するスケジュールを前記第２の表示領域に表示する際には、当該表示するスケジュールは、前記第２の表示領域に１ヶ月分のスケジュールを表示する際に表示するスケジュールよりもより詳細な内容とすることを特徴とするスケジュール表示方法。
【請求項７】
１ヶ月分のカレンダーを表示する第１の領域と、当該第１の領域に表示されているカレンダーの内、１週間分のスケジュールを表示する第２の領域とを有する表示装置のスケジュール表示方法であり、
前記表示装置にスケジュールを表示する際には、
前記第１の領域には移動可能なカーソルを表示し、
前記カーソルがスケジュール登録されている日を指示している際には、前記カーソルが指示している日に対応するスケジュールを前記第２の表示領域に表示し、一方、前記カーソルがスケジュールが登録されていない日を指示している際には、カーソルが指示している週の１週間分のスケジュールを前記第２の表示領域に表示することを特徴とするスケジュール表示方法。
【請求項８】
請求項７に記載のスケジュール表示方法であり、前記カーソルが指示している日に対応するスケジュールを前記第２の表示領域に表示する際には、当該表示するスケジュールは、前記第２の表示領域に１週間分のスケジュールを表示する際に表示するスケジュールよりもより詳細な内容とすることを特徴とするスケジュール表示方法。
【発明の詳細な説明】
【技術分野】
【０００１】
本発明は、スケジュールを表示する方法及びスケジュールを表示可能な表示装置に関する。
【背景技術】
【０００２】
近年の携帯電話等の電子機器にはスケジュール機能が搭載されている。このスケジュール機能では、カレンダー、例えばその月の１日〜３１日（３０日や２９日の場合もある）を表示すると共にカーソルを表示し、カーソルを移動させることによりカーソルが指示されている日のスケジュールをカレンダーとは別の領域に表示させるものである。
【０００３】
また、このようなスケジュールを表示する機能に関する公開特許公報も数多く開示されており、例えば特許文献１には、カレンダーとその月に関連する写真を表示する技術が開示されている。
【先行技術文献】
【特許文献】
【０００４】
【特許文献１】特開２００８−２２５５６２号公報
【発明の概要】
【発明が解決しようとする課題】
【０００５】
しかしながら、従来の携帯電話装置では、スケジュールを表示するにはカーソルをスケジュールが登録されている日に移動させる必要があり、一目でその月や週のスケジュールを把握することができなかった。また、特許文献１に記載の技術では、月のスケジュール一覧とカーソルが指示している日のスケジュールの詳細とをユーザが把握できるように切替表示する技術に関しては開示されていない。
【課題を解決するための手段】
【０００６】
本発明はこのような課題を解決するためのものであり、請求項１記載の表示装置は、１ヶ月分のカレンダーを表示する第１の領域と、当該第１の領域に表示されているカレンダーに対応する１ヶ月分のスケジュールを表示する第２の領域とを有する表示装置であり、  前記第１の領域にはカーソルが表示され、カーソルを移動することにより前記第１の領域に表示されている日を選択可能であり、前記カーソルがスケジュール登録されている日を指示している際には、前記カーソルが指示している日に対応するスケジュールを前記第２の表示領域に表示し、一方、前記カーソルがスケジュールが登録されていない日を指示している際には、１ヶ月分のスケジュールを前記第２の表示領域に表示することを特徴とする。
請求項２記載の表示装置は、請求項１に記載の表示装置であり、前記カーソルが指示している日に対応するスケジュールを前記第２の表示領域に表示する際には、当該表示するスケジュールは、前記第２の表示領域に１ヶ月分のスケジュールを表示する際に表示するスケジュールよりもより詳細な内容であることを特徴とする。
請求項３記載の表示装置は、１ヶ月分のカレンダーを表示する第１の領域と、当該第１の領域に表示されているカレンダーの内、一週間分のスケジュールを表示する第２の領域とを有する表示装置であり、前記第１の領域にはカーソルが表示され、カーソルを移動することにより前記第１の領域に表示されている日を選択可能であり、前記カーソルがスケジュール登録されている日を指示している際には、前記カーソルが指示している日に対応するスケジュールを前記第２の表示領域に表示し、一方、前記カーソルがスケジュールが登録されていない日を指示している際には、前記カーソルが指示している週のスケジュールを前記第２の表示領域に表示することを特徴とする。
請求項４記載の表示装置は、請求項３に記載の表示装置であり、前記カーソルが指示している日に対応するスケジュールを前記第２の表示領域に表示する際には、当該表示するスケジュールは、前記第２の表示領域に１週間分のスケジュールを表示する際に表示するスケジュールよりもより詳細な内容であることを特徴とする。
請求項５記載のスケジュール表示方法は、１ヶ月分のカレンダーを表示する第１の領域と、当該第１の領域に表示されているカレンダーに対応する１ヶ月分のスケジュールを表示する第２の領域とを有する表示装置のスケジュール表示方法であり、前記表示装置にスケジュールを表示する際には、前記第１の領域には移動可能なカーソルを表示し、前記カーソルがスケジュール登録されている日を指示している際には、前記カーソルが指示している日に対応するスケジュールを前記第２の表示領域に表示し、一方、前記カーソルがスケジュールが登録されていない日を指示している際には、１ヶ月分のスケジュールを前記第２の表示領域に表示することを特徴とする。
請求項６記載のスケジュール表示方法は、請求項５に記載の表示装置であり、前記カーソルが指示している日に対応するスケジュールを前記第２の表示領域に表示する際には、当該表示するスケジュールは、前記第２の表示領域に１ヶ月分のスケジュールを表示する際に表示するスケジュールよりもより詳細な内容とすることを特徴とする。
請求項７記載のスケジュール表示方法は、１ヶ月分のカレンダーを表示する第１の領域と、当該第１の領域に表示されているカレンダーの内、１週間分のスケジュールを表示する第２の領域とを有する表示装置のスケジュール表示方法であり、前記表示装置にスケジュールを表示する際には、前記第１の領域には移動可能なカーソルを表示し、前記カーソルがスケジュール登録されている日を指示している際には、前記カーソルが指示している日に対応するスケジュールを前記第２の表示領域に表示し、一方、前記カーソルがスケジュールが登録されていない日を指示している際には、カーソルが指示している週の１週間分のスケジュールを前記第２の表示領域に表示することを特徴とする。
請求項８記載のスケジュール表示方法は、請求項７に記載の表示装置であり、前記カーソルが指示している日に対応するスケジュールを前記第２の表示領域に表示する際には、当該表示するスケジュールは、前記第２の表示領域に１週間分のスケジュールを表示する際に表示するスケジュールよりもより詳細な内容とすることを特徴とする。
【発明の効果】
【０００７】
請求項１及び２に記載の発明では、スケジュールを表示する際に、カーソルが指示している日にスケジュールが登録されていなければ、その月のスケジュール一覧を表示し、カーソルが指示している日にスケジュールが登録されていれば、その日の詳細なスケジュールに表示が切り替わるため、ユーザはその月のスケジュール一覧を把握できると共に、スケジュールの詳細を見たい日にカーソルを移動するだけで容易に見ることが可能である。
請求項３及び４に記載の発明では、スケジュールを表示する際に、カーソルが指示している日にスケジュールが登録されていなければ、カーソルが指示している週のスケジュール一覧を表示し、カーソルが指示している日にスケジュールが登録されていれば、その日の詳細なスケジュールに表示が切り替わるため、ユーザはその週のスケジュール一覧を把握できると共に、スケジュールの詳細を見たい日にカーソルを移動するだけで容易に見ることが可能である。
請求項５及び６に記載の発明では、スケジュールを表示する際に、カーソルが指示している日にスケジュールが登録されていなければ、その月のスケジュール一覧を表示し、カーソルが指示している日にスケジュールが登録されていれば、その日の詳細なスケジュールに表示が切り替わるため、ユーザはその月のスケジュール一覧を把握できると共に、スケジュールの詳細を見たい日にカーソルを移動するだけで容易に見ることが可能である。
請求項７及び８に記載の発明では、スケジュールを表示する際に、カーソルが指示している日にスケジュールが登録されていなければ、カーソルが指示している週のスケジュール一覧を表示し、カーソルが指示している日にスケジュールが登録されていれば、その日の詳細なスケジュールに表示が切り替わるため、ユーザはその週のスケジュール一覧を把握できると共に、スケジュールの詳細を見たい日にカーソルを移動するだけで容易に見ることが可能である。
【図面の簡単な説明】
【０００８】
【図１】本発明を適用してなる一実施例装置の斜視図である。
【図２】本実施例装置のブロック図である。
【図３】第１実施例におけるディスプレイ６０の表示形態の一例である。
【図４】第１実施例におけるディスプレイ６０の表示形態の一例である。
【図５】第２実施例におけるディスプレイ６０の表示形態の一例である。
【図６】第２実施例におけるディスプレイ６０の表示形態の一例である。
【図７】第３実施例におけるディスプレイ６０の表示形態の一例である。
【図８】第３実施例におけるディスプレイ６０の表示形態の一例である。
【図９】第４実施例におけるディスプレイ６０の表示形態の一例である。
【図１０】第４実施例におけるディスプレイ６０の表示形態の一例である。
【発明を実施するための形態】
【０００９】
次に、本発明を適応してなる実施例装置について説明する。尚、本実施例では携帯電話装置について行ったが、スケジュールを表示可能な電子機器、例えばパーソナルコンピュータ等についても同様に実施可能である。
【実施例】
【００１０】
本発明を適用してなる実施例装置について以下に説明する。尚、本実施例では携帯電話装置を一例にとり、その動作を説明する。
【００１１】
図１は、本実施例装置の斜視図である。図１において、携帯電話装置１は、ディスプレイ６０と、テンキー５１と、マイク１１、十字キー５６、決定キー５７とを有している。
【００１２】
図２は、本実施例装置のブロック図を示している。図２に示すように、携帯電話装置１は、アンテナ２と接続された通信部３を備えている。この通信部３は、後述のベースバンド部４からの信号をアンテナ２を介して基地局へ発信し、あるいはアンテナ２を介して基地局からの電波を受信する。
【００１３】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００１４】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、ユーザの耳にあてて通話に使用される。
【００１５】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００１６】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動や警告音の鳴動も行う。
切替回路７は、ベースバンド部４との接続を、第１スピーカ９用の増幅回路８とマイクロホン１１用の増幅回路１０側にするか、あるいは第２スピーカ１３用の増幅回路１２とマイクロホン１１用の増幅回路１０側にするかを切り替える。
【００１７】
また、通信部３、ベースバンド部４、切替回路７には、制御回路（制御部）１４がそれぞれ接続されている。この制御回路１００の制御により上述した切替回路７による切り替えが行われる。また、制御回路１００によりベースバンド部４の音声コーデック６が制御され、音声コーデック６により第１スピーカ９及び第２スピーカ１３の音量やマイクロホン１１の感度が変更される。制御回路１００は、ＲＯＭ１５と接続されており、ＲＯＭ１５に格納されているシステムプログラムに基づき各部を制御する。
ＲＡＭ１６には、カレンダー情報が格納されている。より具体的には、１月〜１２月までの各月毎のカレンダー画像と、ユーザが登録したスケジュール情報が格納されている。このスケジュール情報は、スケジュール内容と、月、日、時刻、重要なスケジュールであるか否かを示すフラグが対応付けて複数格納可能である。
【００１８】
制御回路１００には、入力部５０が接続されている。この入力部５０は、電話番号等の入力を行うテンキー５１と、通話の開始を操作する通話キー５２と、通話の終了を操作する切キー５３と、各種機能の設定を行う機能キー５４と、電源キー５５と、カーソルを移動させるための十字キー５６と、項目を決定するための決定キー５７と、を有している。また、制御回路１００には、ディスプレイ６０のバックライトである照明部６１が接続されている。
【００１９】
尚、ディスプレイ６０には、カレンダーを表示するための第１の表示領域と詳細なスケジュールを表示するための第２の表示領域とを有しており、これらの表示領域については後ほど詳細に説明する。
【００２０】
次に本実施例装置の動作について説明する。まず第１の実施例について説明する。図３及び図４は第１実施例の表示形態を示す図である。第１実施例では、制御部１００がディスプレイ６０にカレンダーを表示する際（例えば７月の１ヶ月分のカレンダー）に制御回路１００は、ＲＡＭ１６に格納されているその月（７月の）１日〜３１日のカレンダーを第１の表示領域２００に表示すると共に、その月のスケジュール一覧を第２の表示領域３００に表示する。更に、第１の表示領域２００にカーソル４００を表示させる。カーソル４００は十字キー５６の操作に応じて移動可能である。
【００２１】
尚、スケジュールは予めユーザが入力部５０を操作することにより登録可能であり、例えば、スケジュール内容、月、日、時刻、を対応付けてＲＡＭ１６に格納可能である。
【００２２】
第１実施例の特徴は以下の点にある、まず、制御部１００は、ＲＡＭ１６に格納されている情報を読み込みことにより、カーソル４００が指示している日にスケジュールが登録されていないと判定すると、第２の表示領域２００に、その月の１ヶ月分のスケジュール一覧を表示するように、ディスプレイ６０を制御する。制御部１００が、十字キー５６からの入力操作があると判定すると、その操作に応じてカーソル４００を移動し、ＲＡＭ１６に格納されている情報に基づいて、カーソルが指示した日にスケジュールがあれば、図４に示すように、そのカーソルが指示した日（例えば２８日）のスケジュールに表示が切り替わるように、ディスプレイ６０を制御する。そのスケジュール表示は、１ヶ月分のスケジュールを表示した際よりもより詳細なスケジュールが表示される。
【００２３】
具体的に説明すると、図３に示すように、カーソル４００が指示する日にスケジュールが登録されていなければ、第２の表示領域３００には、１ヶ月分のスケジュール（１日の会議、１３日の待ち合せ、２２日の会議、２３日の出張、２８日のハイキング）が表示される。続いて、カーソルが移動され、カーソルが指示している日（例えば２８日）にスケジュールが登録されていれば、図４に示すように、「２８日  ハイキング  田中さんと○○駅前で待ち合わせ」とより具体的なスケジュールが表示される。
【００２４】
このように、第１実施例装置では、スケジュールを表示する際に、カーソルが指示している日にスケジュールが登録されていなければ、その月のスケジュール一覧を表示し、カーソルが指示している日にスケジュールが登録されていれば、その日の詳細なスケジュールに表示が切り替わるため、ユーザはその月のスケジュール一覧を把握できると共に、スケジュールの詳細を見たい日にはカーソル４００を移動するだけで容易に見ることが可能である。
【００２５】
次に第２実施例の動作について説明する。図５及び図６は第２実施例の表示形態を示す図である。第２実施例では、制御部１００がディスプレイ６０にカレンダーを表示する際（例えば７月の１ヶ月分のカレンダー）に制御回路１００は、ＲＡＭ１６に格納されているその月（７月の）１日〜３１日のカレンダーを第１の表示領域２００に表示すると共に、カーソル４００が存在する週のスケジュール一覧を第２の表示領域３００に表示する。又、第１の表示領域２００にカーソル４００を表示させる。カーソル４００は十字キー５６の操作に応じて移動可能である。
【００２６】
尚、スケジュールは予めユーザが入力部５０を操作することにより登録可能であり、例えば、スケジュール内容、月、日、時刻、を対応付けてＲＡＭ１６に格納可能である。
【００２７】
第２実施例の特徴は以下の点にある、まず、制御部１００は、ＲＡＭ１６に格納されている情報に基づいて、カーソル４００が指示している日にスケジュールが登録されていないと判定すると、第２の表示領域２００には、そのカーソルが存在する週の１週間分のスケジュール一覧が表示される（図５参照）。具体的に説明すると、図５に示すように、カーソル４００が指示している週（２８日〜３１日）のスケジュール一覧が第２の表示領域３００に表示される。続いて、制御部１００が、十字キー５６からの入力操作があると判定すると、その操作に応じてカーソル４００が移動され、ＲＡＭ１６に格納されている情報に基づいて、カーソルが指示した日に予定があると判定すると、図６に示すように、そのカーソルが指示した日（例えば２８日）のスケジュールをＲＡＭ１６から読み込み、ディスプレイ６０に表示させる。そのスケジュール表示は、一週間分のスケジュールを表示した際よりもより詳細なスケジュールが表示される。具体的には、図６に示すように「２８日  ハイキング  田中さんと07：00に○○駅前で待ち合わせ。」と第２の表示領域２００に表示される。
【００２８】
具体的に説明すると、図５に示すように、カーソル４００が指示する日にスケジュールが登録されていなければ、第２の表示領域３００には、そのカーソルが存在する週のスケジュール（２８日  ハイキング、２９日会議、３０日技術説明会）が表示される。続いて、カーソルが２８日に移動されると、２８日にはスケジュールが登録されているので、図６に示すように２８日のスケジュールの詳細（２８日  ハイキング  田中さんと07：00に○○駅前で待ち合せ。）が表示される。
【００２９】
このように、第２実施例装置では、スケジュールを表示する際に、カーソルが指示している日にスケジュールが登録されていなければ、その週のスケジュール一覧を表示し、カーソルが指示している日にスケジュールが登録されていれば、その日の詳細なスケジュールに表示が切り替わるため、ユーザはその週のスケジュール一覧を把握できると共に、スケジュールの詳細を見たい日にはカーソル４００を移動するだけで容易に見ることが可能である。
【００３０】
次に第３実施例装置について説明する。図７及び図８は第３実施例の表示形態を示す図である。第３実施例では、制御部１００がディスプレイ６０にカレンダーを表示する際（例えば７月の１ヶ月分のカレンダー）に制御回路１００は、ＲＡＭ１６に格納されているその月（７月の）１日〜３１日のカレンダーを第１の表示領域２００に表示すると共に、カーソル４００が存在する週のスケジュール一覧を第２の表示領域３００に表示する。又、第１の表示領域２００にカーソル４００を表示させる。カーソル４００は十字キー５６の操作に応じて移動可能である。
【００３１】
尚、スケジュールは予めユーザが入力部５０を操作することにより登録可能であり、例えば、スケジュール内容、月、日、時刻、重要なスケジュールであるか否かを示すフラグを対応付けてＲＡＭ１６に格納可能である。
【００３２】
第３実施例の特徴は以下の点にある、制御部１００は、カーソル４００が指示している日にスケジュールが登録されていないと判定すると、第２の表示領域２００に、その月のスケジュールの内、ユーザが予め設定した重要なスケジュールの一覧を表示する（図７参照）。尚、この重要なスケジュールは、予めユーザが入力部５０を操作することにより、ＲＡＭ１６に、重要なスケジュールであることを示すフラグと、日付、時刻、スケジュール内容とが対応付けて格納される。
具体的に説明すると、図７に示すように、制御部１００は、月のスケジュールの内、重要なスケジュールであることを示すフラグが付されたスケジュールをＲＡＭ１６から読み込み、その一覧を第２の表示領域３００に表示する（尚、重要なスケジュールとは、例えば、図７に示す１日の会議、２２日の会議、２３日の出張）。続いて、制御部１００が、十字キー５６からの入力操作があると判定すると、その操作に応じてカーソル４００が移動され、カーソルが指示した日に予定があれば、図８に示すように、そのカーソルが指示した日（例えば２８日）のスケジュールに表示が切り替わるよう、ディスプレイ６０を制御する。そのスケジュール表示は、１ヶ月分のスケジュールを表示した際よりもより詳細なスケジュールが表示される。より具体的には、図８に示すように「２８日  ハイキング  田中さんと07：00に○○駅前で待ち合わせ。」と第２の表示領域２００に表示される。
具体的に説明すると、制御部１００は、図７に示すように、月の重要なスケジュールを表示する際には、ＲＡＭ１６に格納されている情報のうち、重要なスケジュールであることを示すフラグが付されたスケジュール（１日会議  ２２日会議  ２３日出張）を読み込み、ディスプレイ６０の第２の表示領域３００に表示させる。
尚、このときカーソル４００が指示されている日にはスケジュールが登録されていないとする。続いて、制御部１００は、十字キー５６の操作に基づいてカーソル４００を移動させ、カーソル４００がスケジュールが登録されている日を指示すると、図８に示すように、カーソル４００が指示した日のスケジュールの詳細（例えば、２８日  ハイキング  田中さんと07：00に○○駅前で待ち合せ。）をディスプレイ６０に表示させる。
【００３３】
このように、第３実施例装置では、スケジュールを表示する際に、カーソルが指示している日にスケジュールが登録されていなければ、その月のスケジュールの内重要なスケジュールの一覧を表示し、カーソルが指示している日にスケジュールが登録されていれば、その日の詳細なスケジュールに表示が切り替わるため、ユーザはその月の重要なスケジュール一覧を把握できると共に、スケジュールの詳細を見たい日にはカーソル４００を移動するだけで容易に見ることが可能である。
【００３４】
次に第４実施例の動作について説明する。図９及び図１０は第４実施例の表示形態を示す図である。第４実施例では、制御部１００がディスプレイ６０にカレンダーを表示する際（例えば７月の１ヶ月分のカレンダー）に制御回路１００は、ＲＡＭ１６に格納されているその月（７月の）１日〜３１日のカレンダーを第１の表示領域２００に表示すると共に、カーソル４００が存在する週のスケジュール一覧を第２の表示領域３００に表示する。又、第１の表示領域２００にカーソル４００を表示させる。カーソル４００は十字キー５６の操作に応じて移動可能である。
【００３５】
尚、スケジュールは予めユーザが入力部５０を操作することにより登録可能であり、例えば、スケジュール内容、月、日、時刻、重要なスケジュールであるか否かを示すフラグを対応付けてＲＡＭ１６に格納可能である。
【００３６】
第４実施例の特徴は以下の点にある、まず、カーソル４００が指示している日にスケジュールが登録されていなければ、第２の表示領域２００には、そのカーソルが存在する週の１週間分のスケジュールの内、ユーザが予め設定した重要なスケジュールの一覧が表示される（図９参照）。尚、この重要なスケジュールは、予めユーザが入力部５０を操作することにより、ＲＡＭ１６に、重要なスケジュールであることを示すフラグと、日付、時刻、スケジュール内容とが対応付けて格納される。
具体的に説明すると、図９に示すように、制御部１００は、カーソル４００が指示している週（２８日〜３１日）のスケジュールの内、重要なスケジュールであることを示すフラグが付されたスケジュールをＲＡＭ１６から読み込み、その一覧を第２の表示領域３００に表示する。続いて、制御部１００が、十字キー５６からの入力操作があると判定すると、その操作に応じてカーソル４００が移動され、カーソルが指示した日に予定があれば、図１０に示すように、そのカーソルが指示した日（例えば２８日）のスケジュールに表示が切り替わるよう、ディスプレイ６０を制御する。そのスケジュール表示は、一週間分のスケジュールを表示した際よりもより詳細なスケジュールが表示される。より具体的には、図１０に示すように「２８日  ハイキング  田中さんと07：00に○○駅前で待ち合わせ。」と第２の表示領域２００に表示される。
【００３７】
より具体的に説明すると、制御部１００は、図９に示すように、カーソル４００が存在する週の重要なスケジュールを表示する際には、ＲＡＭ１６に格納されている情報のうち、重要なスケジュールであることを示すフラグが付されたスケジュール（２８日  ハイキング、２９日  会議）を読み込み、ディスプレイ６０の第２の表示領域３００に表示させる。
尚、このときカーソル４００が指示されている日にはスケジュールが登録されていないとする。続いて、制御部１００は、十字キー５６の操作に基づいてカーソル４００を移動させ、カーソル４００がスケジュールが登録されている日を指示すると、図９に示すように、カーソル４００が指示した日のスケジュールの詳細（例えば、２８日  ハイキング  田中さんと07：00に○○駅前で待ち合せ。）がディスプレイ６０に表示される。
【００３８】
このように、第４実施例装置では、スケジュールを表示する際に、カーソルが指示している日にスケジュールが登録されていなければ、その週のスケジュールの内重要なスケジュールの一覧を表示し、カーソルが指示している日にスケジュールが登録されていれば、その日の詳細なスケジュールに表示が切り替わるため、ユーザはその週の重要なスケジュール一覧を把握できると共に、スケジュールの詳細を見たい日にはカーソル４００を移動するだけで容易に見ることが可能である。
【符号の説明】
【００３９】
５０      入力部
５１      テンキー
５６      十字キー
５７      決定キー
６０      ディスプレイ
２００    第１の表示領域
３００    第２の表示領域
４００    カーソル
【図１】
2011053739.tif 000003
【図２】
2011053739.tif 000004
【図３】
2011053739.tif 000005
【図４】
2011053739.tif 000006
【図５】
2011053739.tif 000007
【図６】
2011053739.tif 000008
【図７】
2011053739.tif 000009
【図８】
2011053739.tif 000010
【図９】
2011053739.tif 000011
【図１０】
2011053739.tif 000012